(57)【要約】      （修正有）【課題】クッション性及び保温性に優れた介護サポート用のレッグウォーマーを提供する。【解決手段】本体２を表地と裏地を重ねた２重構造とし、表地と裏地との間には羽毛が充填配置されている。本体２は脚の足首から太股を覆うことが可能な長さの両端が開口する筒状に形成されている。筒状の本体２の、太股を覆う部分の開口端には、筒の大きさを伸縮方向に調整可能なずれ止め部６が設けられ、本体２の他方の開口端には、足首にフィットさせるための伸縮自在な弾力性のある絞り部４が設けられている。【選択図】図１
0003118555.tif 000002
【実用新案登録請求の範囲】
【請求項１】
足が麻痺し両膝がくっつく拘縮状態を改善するための介護サポート用レッグウォーマーであって、本体２を表地８と裏地１０を重ねた２重構造とし、該表地８と裏地１０との間に羽毛１２を充填配置し、前記本体２を脚の足首から太股を覆うことが可能な長さの両端が開口する筒状に形成し、前記筒状の本体２の、太股を覆う部分の開口端に、筒の大きさを伸縮方向に調整可能としたずれ止め部６を設けたことを特徴とする介護サポート用レッグウォーマー。
【請求項２】
足が麻痺し両膝がくっつく拘縮状態を改善するための介護サポート用レッグウォーマーであって、本体２を表地８と裏地１０を重ねた２重構造とし、該表地８と裏地１０との間に羽毛１２を充填配置し、前記本体２８を平面状に展開自在な四角形のシート状とし、前記本体２８の両側辺３０，３８に沿って、前記本体２８を筒状に丸めたときの両側部の重ね合わせ面を脱着自在に結合する止め付け具を設け、脚に沿って本体２８を筒状に丸め、該本体２８を脚の足首から太股に亘って装着可能としたことを特徴とする介護サポート用レッグウォーマー。
【請求項３】
前記止め付け具を面ファスナー３２，３４，３６，４０，４２，４４で構成し、前記本体２８の裏地２６の一側辺３０に沿って、短尺状の面ファスナー３２，３４，３６を取り付け、該面ファスナー３２，３４，３６に対応して、前記本体２８の表地２４の他側辺３８に沿って、複数の短尺状の面ファスナー４０，４２，４４を取り付けたことを特徴とする請求項２に記載の介護サポート用レッグウォーマー。
【考案の詳細な説明】
【技術分野】
【０００１】
本考案は、介護サポート品として使用されるロング型のレッグウォーマーに関する。
【背景技術】
【０００２】
従来、上下両端が開口した円筒形状で足首から膝下あるいは膝上までの下肢部に装着されるレッグウォーマーが知られている（例えば特許文献１参照）。
【特許文献１】実用新案登録第３０８８４７８号公報
【考案の開示】
【考案が解決しようとする課題】
【０００３】
従来のレッグウォーマーは、主として保温を目的としたものであり、被介護者の拘縮状態即ち、足が麻痺し両膝がくっついてしまうという症状に着目し、これを改善する目的で使用されるものではない。
本考案は、羽毛のクッション性を利用することで、被介護者の拘縮状態の改善に適した介護サポート用のロング型レッグウォーマーを提供することを目的とする。
【課題を解決するための手段】
【０００４】
上記目的を達成するため本考案は、足が麻痺し両膝がくっつく拘縮状態を改善するための介護サポート用レッグウォーマーであって、本体２を表地８と裏地１０を重ねた２重構造とし、該表地８と裏地１０との間に羽毛１２を充填配置し、前記本体２を脚の足首から太股を覆うことが可能な長さの両端が開口する筒状に形成し、前記筒状の本体２の、太股を覆う部分の開口端に、筒の大きさを伸縮方向に調整可能としたずれ止め部６を設けたものである。
また本考案は、足が麻痺し両膝がくっつく拘縮状態を改善するための介護サポート用レッグウォーマーであって、本体２を表地８と裏地１０を重ねた２重構造とし、該表地８と裏地１０との間に羽毛１２を充填配置し、前記本体２８を平面状に展開自在な四角形のシート状とし、前記本体２８の両側辺３０，３８に沿って、前記本体２８を筒状に丸めたときの両側部の重ね合わせ面を脱着自在に結合する止め付け具を設け、脚に沿って本体２８を筒状に丸め、該本体２８を脚の足首から太股に亘って装着可能としたものである。
また本考案は、前記止め付け具を面ファスナー３２，３４，３６，４０，４２，４４で構成し、前記本体２８の裏地２６の一側辺３０に沿って、短尺状の面ファスナー３２，３４，３６を取り付け、該面ファスナー３２，３４，３６に対応して、前記本体２８の表地２４の他側辺３８に沿って、複数の短尺状の面ファスナー４０，４２，４４を取り付けたものである。
【考案の効果】
【０００５】
本考案は、レッグウォーマー本体に羽毛を充填したので、被介護者の両足にレッグウォーマー本体を装着すれば、羽毛を介して両膝が接触するため、被介護者の足を保温効果と合わせて柔らかく保護することができる。また、足首から太股まで覆うロング構造なので保温性に特に優れ、介護サポート用品として最適である。
【考案を実施するための最良の形態】
【０００６】
以下に本考案の実施の形態を添付した図面を参照して詳細に説明する。
図１乃至図３は、本考案の第１の実施形態を示し、レッグウォーマーは、両端が開口する円筒状の本体２と、足首部分を締める絞り部４と、太股部分を締めるずれ止め部６とを備えている。
【０００７】
本体２は、足首から大腿部までをカバーできる長さを有し、本実施形態では、略６０ｃｍ前後の長さに構成されている。本体２は、図２に示すように、表地８と裏地１０の二重構造となっており、この２重構造によって表地８と裏地１０の間に形成される収納部に、羽毛１２が密集して充填配置されている。
【０００８】
前記表地８と裏地１０間の、羽毛１２が充填された収納部は、該表地８と裏地１０を逢着する縫い目１４によって、複数の羽毛収納室に分割され、この縫い目１４によって、羽毛１２の移動を阻止し、本体２の全域に亘って羽毛１２が均一に配置されるようにしている。
【０００９】
本体２の内側は、図２に示すように、挿入部１８が形成され、この挿入部１８に、脚の足首から太股までを挿入できるようになっている。絞り部４は、足首を柔らかく締めるものであり、伸縮可能な弾力性のある素材からなる筒状部材により構成され、前記本体２の一端に逢着されている。
【００１０】
なお、本体２の他の開口端は、図１，４に示す絞り部４の構成に特に限定されるものではなく、図５に示すように、スリット構造としても良い。このスリット構造では、未装着時は、本体２のＡ面とＡ’面が重なり、装着時は、スリットＳが場合によっては少し開くため、圧迫感のない構成となっている。また、この構成によって、本体２の装着が容易となるものである。
【００１１】
本体２の他端には、全周方向に沿って通し穴が形成され、この通し穴にボタンホール付きゴムバンド２０が挿入されている。ゴムバンド２０の一端は、本体２に逢着され、他端２０ａは、解放されて、通し穴の中に収納され、使用時、開口部から外部に引き出すことができるようになっている。
【００１２】
このゴムバンド２０の他端を引っ張ることで、本体２の開口部を縮小でき、ゴムバンド２０の他端２０ａ側の任意のボタンホールを本体２に逢着されたボタン２２に嵌めることで、ゴムバンド２０の他端２０ａ側を、ボタン２２を介して本体２側に止めることができるように構成されている。
【００１３】
上記レッグウォーマーは、１本で又は２本ペアで使用され、図３に示すように、被介護者の片脚または両脚の足首から大腿部にかけて装着される。ずれ止め部６を絞るときは、ゴムバンド２０の他端２０ａを引っ張り、本体２の開口部を太股にフィットさせ、ゴムバンド２０の他端側をボタン２２に止める。
【００１４】
上記実施形態では、ずれ止め部６を、本体２の開口部の通し穴と、ボタンホール付きのゴムバンド２０とで構成したが、本考案はこの構成に特に限定されるものではなく、図４に示すように、伸縮自在な筒状の伸縮弾力材により、ずれ止め部６を構成するようにしても良く、その他、ずれ止め部は任意の構造とすることができる。
【００１５】
図５は本体を平面状に展開可能とした実施形態を示している。表地２４と裏地２６からなる展開された２重構造の本体２８は、頂部に向けて広がった細長状の四角形状を有し、一側辺３０の近傍の裏側に、複数の短尺形状の面ファスナー３２，３４，３６が逢着され、他側辺３８の近傍の表側に、前記面ファスナー３２，３４，３６に対応して、短尺状の面ファスナー４０，４２，４４が逢着されている。
【００１６】
本体２８の表地２４と裏地２６の間に形成される収納部に羽毛４６が密集して充填配置されている。前記羽毛収納部は、縫い目４８によって複数の羽毛収納室に分割され、本体２８の全域に亘って羽毛４６が均一に配置されるようにしている。本体２８を脚部に装着する場合は、これを脚部に巻き付け、図６に示すように、側辺３０，３８に沿って取り付けられた左右の対の面ファスナー３２と４０、３４と４２、３６と４４を接着し、筒状に係止する。
【００１７】
本体２８を脚部から外す場合は、面ファスナー３２と４０，３４と４２、３６と４４をただ剥がすだけで良く、本体２８の脚部への脱着をきわめて容易に行うことができる。本体２８の面ファスナー３６，４４が取り付けられた部分は、絞り部４を構成し、面ファスナー３２，４０が取り付けられた部分は、ずれ止め部６を構成している。また、面ファスナー３４，４２が取り付けられた部分は、膝を締める絞り部を構成している。
【図面の簡単な説明】
【００１８】
【図１】本考案に係るレッグウォーマーの正面図である。
【図２】Ａ−Ａ線断面図である。
【図３】レッグウォーマーの使用状態を示す説明図である。
【図４】本考案の他の実施形態を示す正面図である。
【図５】本考案の他の実施形態を示す説明図である。
【図６】本考案の他の実施形態を示す正面図である。
【図７】図６に示すレッグウォーマーを筒状にした状態の正面図である。
【図８】Ｂ−Ｂ線断面図である。
【符号の説明】
【００１９】
２      本体
４      絞り部
６      ずれ止め部
８      表地
１０    裏地
１２    羽毛
１４    縫い目
１８    挿入部
２０    ゴムバンド
２２    ボタン
２４    表地
２６    裏地
２８    本体
３０    一側辺
３２    面ファスナー
３４    面ファスナー
３６    面ファスナー
３８    他側辺
４０    面ファスナー
４２    面ファスナー
４４    面ファスナー
４６    羽毛
４８    縫い目    
【図１】
0003118555.tif 000003
【図２】
0003118555.tif 000004
【図３】
0003118555.tif 000005
【図４】
0003118555.tif 000006
【図５】
0003118555.tif 000007
【図６】
0003118555.tif 000008
【図７】
0003118555.tif 000009
【図８】
0003118555.tif 000010
【手続補正書】
【提出日】平成17年11月16日(2005.11.16)
【手続補正１】
【補正対象書類名】実用新案登録請求の範囲
【補正対象項目名】請求項２
【補正方法】変更
【補正の内容】
【請求項２】
足が麻痺し両膝がくっつく拘縮状態を改善するための介護サポート用レッグウォーマーであって、本体２８を表地２４と裏地２６を重ねた２重構造とし、該表地２４と裏地２６との間に羽毛４６を充填配置し、前記本体２８を平面状に展開自在な四角形のシート状とし、前記本体２８の両側辺３０，３８に沿って、前記本体２８を筒状に丸めたときの両側部の重ね合わせ面を脱着自在に結合する止め付け具を設け、脚に沿って本体２８を筒状に丸め、該本体２８を脚の足首から太股に亘って装着可能としたことを特徴とする介護サポート用レッグウォーマー。
【手続補正２】
【補正対象書類名】明細書
【補正対象項目名】０００４
【補正方法】変更
【補正の内容】
【０００４】
上記目的を達成するため本考案は、足が麻痺し両膝がくっつく拘縮状態を改善するための介護サポート用レッグウォーマーであって、本体２を表地８と裏地１０を重ねた２重構造とし、該表地８と裏地１０との間に羽毛１２を充填配置し、前記本体２を脚の足首から太股を覆うことが可能な長さの両端が開口する筒状に形成し、前記筒状の本体２の、太股を覆う部分の開口端に、筒の大きさを伸縮方向に調整可能としたずれ止め部６を設けたものである。
また本考案は、足が麻痺し両膝がくっつく拘縮状態を改善するための介護サポート用レッグウォーマーであって、本体２８を表地２４と裏地２６を重ねた２重構造とし、該表地２４と裏地２６との間に羽毛４６を充填配置し、前記本体２８を平面状に展開自在な四角形のシート状とし、前記本体２８の両側辺３０，３８に沿って、前記本体２８を筒状に丸めたときの両側部の重ね合わせ面を脱着自在に結合する止め付け具を設け、脚に沿って本体２８を筒状に丸め、該本体２８を脚の足首から太股に亘って装着可能としたものである。
また本考案は、前記止め付け具を面ファスナー３２，３４，３６，４０，４２，４４で構成し、前記本体２８の裏地２６の一側辺３０に沿って、短尺状の面ファスナー３２，３４，３６を取り付け、該面ファスナー３２，３４，３６に対応して、前記本体２８の表地２４の他側辺３８に沿って、複数の短尺状の面ファスナー４０，４２，４４を取り付けたものである。
【手続補正３】
【補正対象書類名】明細書
【補正対象項目名】００１５
【補正方法】変更
【補正の内容】
【００１５】
図６は本体を平面状に展開可能とした実施形態を示している。表地２４と裏地２６からなる展開された２重構造の本体２８は、頂部に向けて広がった細長状の四角形状を有し、一側辺３０の近傍の裏側に、複数の短尺形状の面ファスナー３２，３４，３６が逢着され、他側辺３８の近傍の表側に、前記面ファスナー３２，３４，３６に対応して、短尺状の面ファスナー４０，４２，４４が縫着されている。
【手続補正４】
【補正対象書類名】明細書
【補正対象項目名】００１６
【補正方法】変更
【補正の内容】
【００１６】
本体２８の表地２４と裏地２６の間に形成される収納部に羽毛４６が密集して充填配置されている。前記羽毛収納部は、縫い目４８によって複数の羽毛収納室に分割され、本体２８の全域に亘って羽毛４６が均一に配置されるようにしている。本体２８を脚部に装着する場合は、これを脚部に巻き付け、図７に示すように、側辺３０，３８に沿って取り付けられた左右の対の面ファスナー３２と４０、３４と４２、３６と４４を接着し、筒状に係止する。